【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
発呼側のクライアント・コンピュータ装置において、電話呼と関連付けられたセッション開始プロトコル（ＳＩＰ）ダイアログを確立する方法であって、
ＳＩＰ  ＩＮＶＩＴＥリクエストを発呼側のクライアント・コンピュータ装置から着呼側のクライアント・コンピュータ装置に送信するステップであって、前記ＳＩＰ  ＩＮＶＩＴＥリクエストは着呼側のクライアント・コンピュータ装置との接続を確立するために使用される、ステップ（６０５）と、
ＳＩＰ  １８３  Ｓｅｓｓｉｏｎ  Ｐｒｏｇｒｅｓｓレスポンスを着呼側のクライアント・コンピュータ装置から受信するステップ（６１０）と、
発呼側のクライアント・コンピュータ装置が、一つまたは複数のＰＳＴＮ信号を公衆交換電話網のコンポーネントとの間で送受信するステップ（６１５）であって、前記一つまたは複数のＰＳＴＮ信号は前記公衆交換電話網での前記電話呼の確立に関連付けられる、ステップと、
前記一つまたは複数のＰＳＴＮ信号はＦａｉｌｅｄ信号を含むか否かを判定するステップ（６２０）と、
前記一つまたは複数のＰＳＴＮ信号がＦａｉｌｅｄ信号を含まないと判定された場合、ＳＩＰ  １８０  Ｒｉｎｇｉｎｇレスポンスを前記着呼側のクライアント・コンピュータ装置から受信するステップ（６３０）と、
ＳＩＰ  ２００  ＯＫレスポンスを受信するステップであって、前記ＳＩＰ  ２００  ＯＫレスポンスは着呼側のクライアント・コンピュータ装置が呼に答えてトランザクションが成功したことを示す、ステップ（６３５）と、
前記公衆交換電話網のコンポーネントからＰＳＴＮ  Ｅｓｔａｂｌｉｓｈｅｄ信号を受信するステップ（６４０）と、
ＳＩＰ  ＡＣＫメッセージを前記着呼側のクライアント・コンピュータ装置に送信するステップ（６４５）であって、前記ＳＩＰ  ＡＣＫメッセージは、ＳＩＰ  ＩＮＶＩＴＥトランザクションの終了、および前記発呼側のクライアント・コンピュータ装置と前記着呼側のクライアント・コンピュータ装置との間のＳＩＰ通話フェーズのダイアログの開始を意味する、ステップと
を含むことを特徴とする方法。
【請求項２】
前記公衆交換電話網のコンポーネントは構内電話交換機（ＰＢＸ）であることを特徴とする請求項１に記載の方法。
【請求項３】
前記一つまたは複数のＰＳＴＮ信号は、Ｍａｋｅ  Ｃａｌｌ信号、Ｏｒｉｇｉｎａｔｅｄ信号およびＤｅｌｉｖｅｒｅｄ信号のうちの一つを含むことを特徴とする請求項２に記載の方法。
【請求項４】
前記一つまたは複数のＰＳＴＮ信号がＦａｉｌｅｄ信号を含むと判定された場合、ＰＳＴＮの呼処理が失敗したことを示すＳＩＰ  Ｃａｎｃｅｌメッセージを前記着呼側のクライアント・コンピュータ装置に送信するステップ（６２５）をさらに含むことを特徴とする請求項１に記載の方法。
【請求項５】
前記ＳＩＰ  ＩＮＶＩＴＥリクエストは通信サーバを介して前記着呼側のクライアント・コンピュータ装置に送信されることを特徴とする請求項１に記載の方法。
【請求項６】
請求項１乃至５のいずれかに記載の方法をコンピュータに実行させるためのコンピュータ実行可能命令を格納するコンピュータ読み取り可能な記録媒体。
【請求項７】
公衆交換電話網で行われる電話呼と関連付けられた少なくとも１つのコンピュータ・ダイアログを提供するための、コンピュータシステムにおける方法であって、
セッション開始プロトコル（ＳＩＰ）  ＩＮＶＩＴＥメッセージを受信するステップであって、前記ＳＩＰ  ＩＮＶＩＴＥメッセージは、発呼者から着呼者への電話呼の開始と関連付けられ、前記ＳＩＰ  ＩＮＶＩＴＥメッセージは前記発呼者に対応するコンピュータ装置から送信されるステップと、
前記発呼者に対応するコンピュータ装置と前記着呼者に対応するコンピュータ装置との間のＳＩＰダイアログを開始するステップであって、前記ＳＩＰダイアログは前記発呼者の同一性の確認に関連付けられたメッセージを送信するために少なくとも一部は使用されるシグナリング・フェーズと、前記電話呼が前記公衆交換電話網を介して確立された後に開始される通話フェーズとを含むステップと、
電話呼が確立されず、それが公衆交換電話網のコンポーネントから発信されるＦａｉｌｅｄ信号の受信により示された場合に、前記ＳＩＰダイアログの開始を取り消すリクエストを送信するステップであって、前記取り消すリクエストはシグナリング・フェーズ中に送信されるステップと
を含むことを特徴とする方法。
【請求項８】
前記公衆交換電話網を介して電話呼を確立するステップは、
前記発呼者に対応するコンピュータ装置から、前記公衆交換電話網のコンポーネントによる受信を意図するＭａｋｅ  Ｃａｌｌ信号を送信するステップと、
前記発呼者に対応するコンピュータ装置において、前記公衆交換電話網の前記コンポーネントにおいて発信されるＭａｋｅ  Ｃａｌｌ信号を受信するステップと、
前記発呼者に対応するコンピュータ装置において、前記公衆交換電話網の前記コンポーネントにおいて発信されるＯｒｉｇｉｎａｔｅｄ信号を受信するステップと、
前記発呼者に対応するコンピュータ装置において、前記公衆交換電話網の前記コンポーネントにおいて発信され、かつ第２の電話機が呼び出し中であることを示すＤｅｌｉｖｅｒｅｄ信号を受信するステップと
を含むことを特徴とする請求項７に記載の方法。
【請求項９】
前記公衆交換電話網の前記コンポーネントは構内電話交換機（ＰＢＸ）であることを特徴とする請求項８に記載の方法。
【請求項１０】
前記公衆交換電話網の前記コンポーネントは構内電話交換機（ＰＢＸ）であり、
前記Ｍａｋｅ  Ｃａｌｌ信号、前記Ｏｒｉｇｉｎａｔｅｄ信号、および前記Ｄｅｌｉｖｅｒｅｄ信号は、遠隔コールセンタ・インタフェースから受信されることを特徴とする請求項８に記載の方法。
【請求項１１】
前記ＳＩＰ  ＩＮＶＩＴＥメッセージは通信サーバにおいて受信され、前記通信サーバが該ＳＩＰ  ＩＮＶＩＴＥメッセージ前記着呼者に対応するコンピュータ装置に渡すことを特徴とする請求項７に記載の方法。
【請求項１２】
着呼側のクライアント・コンピュータ装置において、電話呼と関連付けられたセッション開始プロトコル（ＳＩＰ）ダイアログを確立する方法であって、
ＳＩＰ  ＩＮＶＩＴＥリクエストを発呼側のクライアント・コンピュータ装置から受信するステップ（７０５）と、
ＳＩＰ  １８３  Ｓｅｓｓｉｏｎ  Ｐｒｏｇｒｅｓｓレスポンスを発呼側のクライアント・コンピュータ装置に送信するステップ（７１０）と、
公衆交換電話網のコンポーネントからＰＳＴＮ  Ｄｅｌｉｖｅｒｅｄ信号を受信するステップ（７１５）と、
ＳＩＰ  Ｃａｎｃｅｌメッセージを発呼側のクライアント・コンピュータ装置から受信するか否かを判定するステップであって、前記ＳＩＰ  Ｃａｎｃｅｌメッセージは、発呼側のクライアント・コンピュータ装置がＰＳＴＮ呼の設定を失敗したことを検知したことを示す、ステップ（７２０）と、
前記ＳＩＰ  Ｃａｎｃｅｌメッセージを受信しない場合に、ＳＩＰ  １８０  Ｒｉｎｇｉｎｇレスポンスを発呼側のクライアント・コンピュータ装置に送信するステップ（７２５）と、
発呼側のクライアント・コンピュータ装置に対してＳＩＰ  ２００  ＯＫレスポンスを送信するステップ（７３０）と、
前記公衆交換電話網のコンポーネントからＰＳＴＮ  Ｅｓｔａｂｌｉｓｈｅｄ信号を受信するステップ（７３５）と、
ＳＩＰ  ＡＣＫメッセージを前記発呼側のクライアント・コンピュータ装置から受信するステップ（７４０）と
を含むことを特徴とする方法。
【請求項１３】
前記公衆交換電話網のコンポーネントは構内電話交換機（ＰＢＸ）であることを特徴とする請求項１２に記載の方法。
【請求項１４】
前記ＳＩＰ  ＩＮＶＩＴＥリクエストは通信サーバを介して前記着呼側のクライアント・コンピュータ装置に送信されることを特徴とする請求項１２に記載の方法。
【請求項１５】
請求項１２乃至１４のいずれかに記載の方法をコンピュータに実行させるためのコンピュータ実行可能命令を格納するコンピュータ読み取り可能な記録媒体。